(57)【要約】【課題】本発明は街路樹等の地下茎保護ブロック、およびその敷設工法に関し、例えば舗道、広場、建物のアプローチ等に植設する街路樹等の樹木の地下茎に対する潅水、空気の流通、日照等の育成条件を阻害することなく、しかも簡単かつ効率的に施工を行おうとする。【解決手段】植栽される樹木２の地下茎２ａの周囲上方部に敷設される地下茎保護ブロック本体１と、該地下茎保護ブロック本体に設けられ、前記地下茎を覆う覆土３が所望面積Ｓ地表に臨まれる植栽用開口部４と、該植栽用開口部の外周に透水舗装部材６が上面に載置可能に設けられ、多数の透水孔７が厚み方向Ｔに設けられた載置部８とから形成される。【選択図】　　　図１
2004036345.tif 000002
【特許請求の範囲】
【請求項１】
植栽される樹木の地下茎の周囲上方部に敷設される地下茎保護ブロック本体と、該地下茎保護ブロック本体に設けられ、前記地下茎を覆う覆土が所望面積地表に臨まれる植栽用開口部と、該植栽用開口部の外周に透水舗装部材が上面に載置可能に設けられ、多数の透水孔が厚み方向に設けられた載置部とから形成されることを特徴とする街路樹等の地下茎保護ブロック。
【請求項２】
地下茎保護ブロック本体は、全体形状が平面略コ字形または平面略半環状に形成され、植栽用開口部を囲む対向する開放端が車道と舗道とを区画する縁石ブロックの舗道側の内壁部に突き合わせ可能に敷設されることを特徴とする請求項１に記載の街路樹等の地下茎保護ブロック。
【請求項３】
地下茎保護ブロック本体は、全体形状が平面略コ字形または平面略半環状に形成され、植栽用開口部を囲む対向する開放端が相互に衝合されて全体に平面略ロ字形に組み合わせられて使用されるか、または地下茎保護ブロック本体は全体形状が平面略ロ字形に形成されることを特徴とする請求項１に記載の街路樹等の地下茎保護ブロック。
【請求項４】
地下茎保護ブロック本体は、繊維強化セメント、繊維強化プラスチック、またはセメントの何れかにより形成されることを特徴とする請求項１、請求項２、または請求項３の何れかに記載の街路樹等の地下茎保護ブロック。
【請求項５】
透水舗装部材は、透水舗装ブロックであるか、または透水性を有するアスファルト舗装、目地排水性平板の何れかであることを特徴とする請求項１、請求項２、請求項３、または請求項４の何れかに記載の街路樹等の地下茎保護ブロック。
【請求項６】
植栽される樹木の地下茎の周囲上方部に砕石等の基礎部を敷設する工程と、樹木を植栽用開口部内に埋込み可能に前記基礎部の上面に地下茎保護ブロック本体を敷設する工程と、地下茎保護ブロック本体の植栽用開口部の外周上面に設けた載置部に透水シート、またはメッシュ類、敷砂を介して透水舗装部材を敷設する工程とから成る街路樹等の地下茎保護ブロックの敷設工法。
【請求項７】
植栽される樹木の地下茎の周囲上方部に砕石等の基礎部を敷設する工程と、樹木を埋込み可能な植栽用開口部における開放端が舗道と車道とを区画する縁石ブロックの舗道側の内壁部に突き合わせ可能に前記基礎部の上面に平面略コ字形の地下茎保護ブロック本体を敷設する工程と、該地下茎保護ブロック本体の植栽用開口部の外周上面に設けた載置部に透水シート、またはメッシュ類、敷砂を介して透水舗装部材を敷設する工程とから成る街路樹等の地下茎保護ブロックの敷設工法。
【請求項８】
植栽される樹木の地下茎の周囲上方部に砕石等の基礎部を敷設する工程と、樹木を埋込み可能な植栽用開口部における開放端が相互に衝合可能に前記基礎部の上面に平面略コ字形の地下茎保護ブロック本体を敷設する工程と、該地下茎保護ブロック本体の植栽用開口部の外周上面に設けた載置部に透水シート、またはメッシュ類、敷砂を介して透水舗装部材を敷設する工程とから成る街路樹等の地下茎保護ブロックの敷設工法。
【請求項９】
透水舗装部材は、透水舗装ブロックであるか、または透水性を有するアスファルト舗装、目地排水性平板の何れかであることを特徴とする請求項６、請求項７、または請求項８の何れかに記載の街路樹等の地下茎保護ブロックの敷設工法。
【発明の詳細な説明】
【０００１】
【発明の属する技術分野】
本発明は街路樹等の地下茎保護ブロック、およびその敷設工法に関し、例えば舗道、広場、建物のアプローチ等に植設する街路樹等の樹木の地下茎に対する潅水、空気の流通、日照等の育成条件を阻害することなく、しかも簡単かつ効率的に施工を行おうとする。
【０００２】
【従来の技術】
従来、例えば車道に沿って敷設される舗道への街路樹の植栽法には、例えば図１３、図１４、図１５に示すような方法があった。
すなわち、車道ａと舗道ｂとを区画する縁石ブロックｃの内壁面ｃ１に仕切ブロックｄ，ｄを略交叉して一端側を突き合わせて左右対向して配置するとともに該仕切ブロックｄ，ｄの他端間を縁石ブロックｃに平行して他の仕切ブロックｅ１，ｅ２，ｅ３，ｅ４により連結し、街路樹ｔを植栽するために縁石ブロックｃと、仕切ブロックｄ，ｄ，ｅ１，ｅ２，ｅ３，ｅ４とにより囲まれる空間部ｋを確保する。次いで、この仕切ブロックｄ，ｄ，ｅ１，ｅ２，ｅ３，ｅ４の外側には、例えば砕石、砂等の基礎材ｆを敷設し、この基礎材ｆ介して上面には舗装ブロックｇを敷設したり、アスファルト舗装を行う等して舗道ｂを車道ａに沿って造成していた。そして、縁石ブロックｃと仕切ブロックｄ，ｄ，ｅ１，ｅ２，ｅ３，ｅ４とにより囲まれる前記空間部ｋ内に街路樹ｔの根を埋め込み、その根を覆土ｈにて覆い、街路樹ｔを舗道ｂに植栽していた。
こうして、街路樹ｔの根は縁石ブロックｃと、該縁石ブロックｃに略交叉してその内壁部ｃ１に左右対向して一端部が突き合わされる仕切ブロックｄ，ｄと、該仕切ブロックｄ，ｄの他端部間を連結するほかの仕切ブロックｅ１，ｅ２，ｅ３，ｅ４とにより前後、左右を周囲から囲むことにより地下茎を覆う覆土ｈが舗道ｂに流出するのを防止し、雨水等が覆土ｈ等の地中に滲みわたるようにして潅水を行うほか、空気の流通性と日照を確保し、樹木の育成条件を整えるようにしていた。
【０００３】
【発明が解決しようとする課題】
しかしながら、例えば図１３、図１４、図１５に示すような上記従来の街路樹等の植栽法では、植栽される街路樹ｔの根が埋め込まれ、地下茎を保護するための覆土ｈが収容される空間部ｋを舗道ｂに確保するために、車道ａと舗道ｂとを区画する縁石ブロックｃに略交叉して内壁部ｃ１に左右対向して一端部が突き合わされる仕切ブロックｄ，ｄと、該仕切ブロックｄ，ｄの他端部間を連結するほかの仕切ブロックｅ１，ｅ２，ｅ３，ｅ４とにより前後、左右を囲むことにより街路樹ｔの地下茎を覆う覆土ｈを収容する空間部ｋを形成していた。従って、覆土ｈを収容するための空間部ｋを確保するのに、多くの工程を要し時間および手間がかかり、作業効率が悪く、施工性が低く、工事費は高価になっていた。
また、舗道ｂを造成するには、空間部ｋを囲む仕切ブロックｄ，ｄ，ｅ１，ｅ２，ｅ３，ｅ４の外側に、先ず砕石、砂等の基礎材ｆを敷設し、この基礎材ｆの上面に舗装ブロックｇを敷設したり、アスファルト舗装を行う等して舗道ｂを車道ａに沿って造成していたが、この仕切ブロックｄ，ｄ，ｅ１，ｅ２，ｅ３，ｅ４の敷設高さが図１５に示すように個々に不揃いになって綺麗な仕上がりの施工が行えなかった。
また、仕切ブロックｄ，ｄ，ｅ１，ｅ２，ｅ３，ｅ４と舗装ブロックｇとの敷設高さに著しく差が生じて段差ができ易いという不都合を生じていた。甚だしい場合には、仕切ブロックｄ，ｄ，ｅ１，ｅ２，ｅ３，ｅ４よりも舗装ブロックｇが高い位置に敷設されることがあった。
また、縁石ブロックｃに対して仕切ブロックｄ，ｄを左右対向して突き合わせ、この仕切ブロックｄ，ｄの他端間に他の仕切ブロックｅ１，ｅ２，ｅ３，ｅ４を連結することにより街路樹ｔを植栽するための大きな面積Ｓ′の空間部ｋを形成する必要上、仕切ブロックｄ，ｄ，ｅ１，ｅ２，ｅ３，ｅ４の外側に舗装ブロックｇを敷設することにより舗道ｂが造成するものなので、舗道ｂの幅員が狭くならざるをえなかった。従って、舗道を造成するための用地が充分に確保しにくい都市部での舗道ｂの造成には不向きであった。
【０００４】
本発明は上記従来に欠点を解決し、街路樹を植栽し、地下茎の覆土を収容する空間部を迅速かつ確実に作業効率良く確保し、工事費が低廉になり、しかも舗装ブロックの敷設高さが個々の空間部に対して不揃いになって見苦しい段差を生ずることなく一律で綺麗な仕上がりにて施工が行え、さらには都市部においても幅員が広く余裕がある広さの舗道を造成するのに適した街路樹等の地下茎保護ブロック、およびその敷設工法を提供しようとする。
【０００５】
【課題を解決するための手段】
本発明は上記課題に鑑みなされ、請求項１に記載の発明は、植栽される樹木の地下茎の周囲上方部に敷設される地下茎保護ブロック本体と、該地下茎保護ブロック本体に設けられ、前記地下茎を覆う覆土が所望面積地表に臨まれる植栽用開口部と、該植栽用開口部の外周に透水舗装部材が上面に載置可能に設けられ、多数の透水孔が厚み方向に設けられた載置部とから形成されるという手段を採用した。
【０００６】
また、本発明の請求項２に記載の発明は、請求項１において、地下茎保護ブロック本体は、全体形状が平面略コ字形または平面略半環状に形成され、植栽用開口部を囲む対向する開放端が車道と舗道とを区画する縁石ブロックの舗道側の内壁部に突き合わせ可能に敷設されることを特徴とするという手段を採用した。
【０００７】
また、本発明の請求項３に記載の発明は、請求項１において、地下茎保護ブロック本体は、全体形状が平面略コ字形または平面略半環状に形成され、植栽用開口部を囲む対向する開放端が相互に衝合されて全体に平面略ロ字形に組み合わせられて使用されるか、または地下茎保護ブロック本体は全体形状が平面略ロ字形に形成されることを特徴とするという手段を採用した。
【０００８】
また、本発明の請求項４に記載の発明は、請求項１、請求項２、または請求項３の何れかにおいて地下茎保護ブロック本体は、繊維強化セメント、繊維強化プラスチック、またはセメントの何れかにより形成されることを特徴とするという手段を採用した。
【０００９】
また、本発明の請求項５に記載の発明は、請求項１、請求項２、請求項３、または請求項４の何れかにおいて、透水舗装部材は、透水舗装ブロックであるか、または透水性を有するアスファルト舗装、目地排水性平板の何れかであることを特徴とするという手段を採用した。
【００１０】
また、本発明の請求項６に記載の発明は、植栽される樹木の地下茎の周囲上方部に砕石等の基礎部を敷設する工程と、樹木を植栽用開口部内に埋込み可能に前記基礎部の上面に地下茎保護ブロック本体を敷設する工程と、地下茎保護ブロック本体の植栽用開口部の外周上面に設けた載置部に透水シート、またはメッシュ類、敷砂を介して透水舗装部材を敷設する工程とから成るという手段を採用した。
【００１１】
また、本発明の請求項７に記載の発明は、植栽される樹木の地下茎の周囲上方部に砕石等の基礎部を敷設する工程と、樹木を埋込み可能な植栽用開口部における開放端が舗道と車道とを区画する縁石ブロックの舗道側の内壁部に突き合わせ可能に前記基礎部の上面に平面略コ字形の地下茎保護ブロック本体を敷設する工程と、該地下茎保護ブロック本体の植栽用開口部の外周上面に設けた載置部に透水シート、またはメッシュ類、敷砂を介して透水舗装部材を敷設する工程とから成るという手段を採用した。
【００１２】
また、本発明の請求項８に記載の発明は、植栽される樹木の地下茎の周囲上方部に砕石等の基礎部を敷設する工程と、樹木を埋込み可能な植栽用開口部における開放端が相互に衝合可能に前記基礎部の上面に平面略コ字形の地下茎保護ブロック本体を敷設する工程と、該地下茎保護ブロック本体の外周上面に設けた載置部に透水シート、またはメッシュ類、敷砂を介して透水舗装部材を敷設する工程とから成るという手段を採用した。
【００１３】
また、本発明の請求項９に記載の発明は、請求項６、請求項７、または請求項８の何れかにおいて、透水舗装部材は、透水舗装ブロックであるか、または透水性を有するアスファルト舗装、目地排水性平板の何れかであることを特徴とするという手段を採用した。
【００１４】
【発明の実施の形態】
以下、図面に従って本発明の実施の形態の具体例を説明する。
図１は本発明の街路樹等の地下茎保護ブロックの第１実施形態を示す断面図、図２は部分切欠平面図、図３は同じく概略斜視図、図４は本実施形態の街路樹等の地下茎保護ブロックの横断面図、図５は本実施形態の街路樹等の地下茎保護ブロックの他に使用例を示す概略平面図、図６は同じく地下茎保護ブロックの第２変形例を示す平面図、図７は同じく地下茎保護ブロックの第３変形例を示す平面図、図８は同じく地下茎保護ブロックの第４変形例を示す平面図、図９は同じく地下茎保護ブロックの第５変形例を示す平面図、図１０は同じく地下茎保護ブロックの第６変形例を示す平面図、図１１は同じく地下茎保護ブロックの第７変形例を示す平面図である。
【００１５】
１は植栽される樹木２の地下茎２Ａの周囲上方部に敷設される地下茎保護ブロック本体であり、この地下茎保護ブロック本体１は図１ないし図４に示す基本形態では全体形状が平面略コ字形に形成され、前記地下茎２Ａを覆う覆土３が所望面積Ｓ、地表に臨まれる植栽用開口部４と、該植用開口部４の周囲（図２、図３では左右と後部との３個所）に設けられる水溜用縁部５と、該水溜用縁部５の外周に透水性舗装部材６が上面に載置可能に設けられ、多数の透水孔７が厚み方向Ｔに設けられた載置部８とから形成される。
そして、地下茎保護ブロック本体１は、前述のように図１ないし図４に示す基本形態では全体形状が平面略コ字形の横長に形成されるが、これに限らず外形が方形の略コ字形に形成されてもよく、また図６に示す第２変形例のように平面略半環状に形成されてもよい。
また、地下茎保護ブロック本体１は、植栽用開口部４を囲む対向する開放端９，９が車道１０と舗道１１とを区画する縁石ブロック１２の舗道１１側の内壁部１２ａに突き合わ可能に敷設される。また、この地下茎保護ブロック本体１は、本実施形態では、好適例を示し例えば繊維強化セメントにより形成されることにより引っ張り力、圧縮力に対して強度を確保するように形成されるが、これに限ることなく、繊維強化プラスチック、またはセメントの何れかにより形成されてもよい。そして、図１ないし図４に示す基本的な本実施形態で示される地下茎保護ブロック本体１の大きさは、平面形状において、縦の長さＬ１は略９１５ｍｍ、横の長さＬ２は略１８３０ｍｍ、高さＨは略１９０ｍｍに形成され、運搬し易く、施工し易い大きさに形成される。しかも、植栽用開口部４の大きさは、縦の長さＬ３は略５５５ｍｍに形成され、横の長さＬ４は略１１１０ｍｍに形成される。
従って、本実施形態で、地下茎２Ａを覆う覆土３が地表面に臨まれる植栽用開口部４の面積Ｓは、図１３ないし図１５に示すような従来の植栽法により覆土を収容するために形成される空間部の面積Ｓ′よりかなり狭く形成される。
【００１６】
また、植栽用開口部４の平面形状は、本実施形態では例えば図２および図３に示す基本形態、また図７に示す第３変形例、図８に示す第４変形例、図９に示す第５変形例に示すように平面略矩形に形成されているが、これに限ることなく例えば正方形、また図６に示すような前記第２変形例や図１１に示す第７変形例に示すように半円形に形成されてもよく、また図１０に示す第６変形例のように三角形、さらには図には示さないが六角形、八角形、半楕円等に形成されるものであってもよい。
また、載置部８に設けられる透水孔７は、例えば図２および図３に示す基本形態、また図６に示す第２変形例、図９に示す第５変形例、図１０に示す第６変形例、図１１に示す第７変形例に示すように平面長円形に形成されているが、その形状は図７の第３変形例に示すように方形、図８の第４変形例に示すように矩形に形成されるほか、円形等自由であり、その設置個数も自由に選択される。また、図７に示す第３変形例のように、透水孔７に濾過材Ｋを詰め込んでもよいし、また図８の第４変形例のように多数の透水孔７を設ける代わりに１個の矩形の大きな透水孔７を設け、この透水孔７内に地表に臨むようにグレーチング部材Ｇを嵌合する等の加工も自由である。
【００１７】
また、前記透水性舗装部材６は、図示する本実施形態では骨材をセメントまたは合成樹脂接着剤等の結合剤により結合することにより厚み方向Ｔに連続した空隙による多数の透水孔を設けた透水舗装ブロック１３が用いられるが、これに限ることなく透水舗装ブロック１３を用いる代わりに図には示さないが透水性を有するアスファルト舗装であってもよく、また図には示さないが、透水孔を有する平板やインターロッキングブロック、さらには排水性舗装アスファルト混合物よりなる表層部および基層部と、該基層部の下部に設けられる不透水性層とから成る排水性平板やレンガ等を用いて目地空間を利用して排水性を確保するようにした（本明細書においてこれを目地排水性平板という）ものでもよい。
【００１８】
この透水性舗装部材６を地下茎保護ブロック本体１の植栽用開口部４の外周上面に設けた載置部８に敷設するには、例えば図１に示すように透水シート１４の端部１４ａを地下茎保護ブロック本体１の載置部８の上面に透水孔７に少なくとも近接する位置まで充分に載せたり、必要な場合には透水孔７を図には示さないメッシュ類を被せる。そして、その透水シート１４の上面に高さ調整用の敷砂１５を所望厚み撒くことにより、この透水シート１４、メッシュ類、敷砂１５介して透水舗装部材６を地下茎保護ブロック本体１の載置部８の上面に敷設する。この際、透水シート１４は、敷設される地下茎保護ブロック本体１毎に該地下茎保護ブロック本体１を中心に植栽用開口部４に向かう設置勾配θ１により敷設され、しかも透水性舗装部材６に滲み通る雨水等を確保するのに充分な面積Ｓ１だけ舗道１１の造設個所に設けられれば良く、必ずしも造成される舗道１１の全域にわたり透水シート１４を敷設される必要はない。また、透水シート１４は、例えば合成樹脂シートが好適に使用される。この合成樹脂シートとしては、例えばポリプロピレン、ポリエチレン、ポリエステル、ポリアミド、ポリスチレン等の合成樹脂シートが挙げられるが、これに制限されるものではなく、例えば金属箔であってもよい。
【００１９】
１６は地下茎保護ブロック本体１を舗道１１に敷設するために、植栽される樹木２の地下茎２Ａの上方部周囲に敷設される砕石等の基礎部であり、１７は同じく舗道１１を造成するために敷設される透水性舗装部材６の下面に敷かれる砕石等の基礎部である。
【００２０】
本発明の街路樹等の地下茎保護ブロックの第１実施形態は以上の構成からなり、街路樹等の樹木２を車道１０に沿って造成する舗道１１に植栽するには、先ず第１工程として植栽される樹木２の地下茎２Ａの上方部周囲に砕石等の基礎部１６を敷設する。この基礎部１６は、施工現場において図１に示すように砕石を敷設することにより形成されるが、また図には示さないが、砕石を用いずに、コンクリート製の基礎ブロックにより形成した場合にはそれを用いることもできる。
【００２１】
次いで、第２工程として樹木２を植栽用開口部４内に埋込み可能に地下茎保護ブロック本体１を前記基礎部１６の上面に敷設する。
この際、本実施形態では、地下茎保護ブロック本体１は、図２および図３に示す基本形態、図７の第３変形例、図８の第４変形例、図９の第５変形例、図１０の第６変形例、図１１の第７変形例に示すように全体形状が平面略コ字形に形成されるか、または図６に示す第２変形例のように平面略半環状に形成されているので、地下茎保護ブロック本体１の植栽用開口部４を囲む対向する開放端９，９が車道１０と舗道１１とを区画する縁石ブロック１２の舗道１１側の内壁部１２ａに突き合わせ可能に敷設すれば、地下茎保護ブロック本体１を基礎部１６の上面に迅速かつ確実に、しかも水平度を保ち、敷設後にも自動車の振動に対しても構造堅牢にかつ安定して敷設することができる。
そして、この地下茎保護ブロック本体１を敷設するだけで地下茎２Ａを覆う所望面積Ｓの覆土３が地表に臨まれる植栽用開口部４は、縁石ブロック１２と、図２および図３において地下茎保護ブロック本体１に設けられる水溜用縁部５とにより周囲を囲むことにより容易かつ迅速に形成され、施工性は多くの工程を経ることなく時間と手間を多くは要さずに極めて効率的になる。
【００２２】
その後、第３工程として地下茎保護ブロック本体１の植栽用開口部４の外周上面に設けた載置部８に透水シート１４を敷設し、その透水シート１４の上面に敷砂１５を撒き、その後この透水シート１４と、敷砂１５を介して透水舗装部材６を敷設する。
地下茎保護ブロック本体１の植栽用開口部４の外周上面に設けた載置部８に透水シート１４を敷設するには、透水シート１４の端部１４ａを載置部８の上面に透水孔７に少なくとも近接する位置まで充分に載せ、必要な場合には透水孔７をメッシュ類を被せることにより敷設される。
この時、雨水等は植栽用開口部４に向かう設置勾配θ１により敷設される透水舗装部材６の上面を例えば図１の矢印Ａに示すように流れ下るほか、雨水は透水舗装部材６に滲み込み、透水シート１４の設置勾配θに伴いその上面を矢印Ｂに示すように流れ下り、載置部８に設けた透水孔７を介して地下茎保護ブロック本体１の下面に集水されて流れ落ち、土中に滲みわたる。
【００２３】
その後、透水シート１４の上面に高さ調整用の敷砂１５を撒くことにより、この透水シート１４、メッシュ類、敷砂１５介して透水舗装部材６を載置部８の上面に敷設する。この時、透水シート１４の上面に撒かれる高さ調整用の敷砂１５の上面は、後述するように雨水を植栽用開口部４内に集水し易くするために、地下茎保護ブロックを除く舗道１１部分に敷設した砕石等の基礎部１６′の上面に撒かれる敷砂１５′の上面と略一致する高さ、またはそれ以下の高さに撒かれることが好ましい。
しかも、この敷砂１５を撒く高さを加減することにより載置部８上に載置される透水舗装部材６の敷設高さｈ′を植栽用開口部４の外周の水溜用縁部５の高さｈに対して調整して敷設する。そして、地下茎保護ブロック本体１の載置部８に載置された透水舗装部材６の周囲に基礎部１６′、敷砂１５′を介してほかの透水舗装部材６を敷設し、舗道１１を造成する。
こうして、本実施形態の地下茎保護ブロック本体１は、植栽用開口部４の外周に水溜用縁部５が形成され、しかもその植栽用開口部４の外周に形成される平坦な載置部８の上面に敷設されるものであり、現場において設ける基礎の上面に直接、敷設ブロックを敷設し、造成するのとは異なるので、凸凹により段差を生ずる等の外観上の見苦しさがなく迅速かつ確実に所望面積Ｓの植栽用開口部４を舗道１１に形成することができるとともに舗道１１を造成できる。
【００２４】
このようにして、車道１０に沿って舗道１１は造成されてから、前述のように形成された植栽用開口部４内に街路樹等の樹木２の根を埋め込み、その後に植栽用開口部４内に覆土３を埋め戻して地下茎２Ａを覆い、樹木２の植栽作業を終える。
【００２５】
そして、雨、雪等が降ると、図１に示すように雨水は一部が舗道１１に敷設された透水舗装部材６の上面を矢印Ａに示すように流れ下る。また雨水の一部は透水舗装部材６の内部に滲み込み、透水シート１４の設置勾配θに伴い矢印Ｂに示す方向に透水シート１４の上面を植栽用開口部４に向かって流れ下り、地下茎保護ブロック本体１の載置部８に厚み方向Ｔに設けた透水孔７内に流れ落ちる。こうして、雨水、雪等は集水され、地下茎保護ブロック本体１の植栽用開口部４内に根が埋め込まれた樹木２の地下茎２Ａに給水される。
【００２６】
このため、樹木２の地下茎２Ａは、覆土３が所望面積Ｓだけ地表に臨まれるように地下茎保護ブロック本体１に設けられる植栽用開口部４を残して地下茎保護ブロック本体１の大部分が透水舗装部材６により覆われるようになっても、樹木２の育成に必要な充分な量の水が地下茎２Ａに給水され、透水舗装部材６の内部に設けられる空隙孔と、地下茎保護ブロック本体１の載置部８に設けられる透水孔７とを通じて空気の流通性は促進され、日照は確保される。従って、都市部等において舗道１１の用地が充分に確保しにくい場所での舗道１１の造成に適し、しかも舗道１１は充分な幅員が確保できるとともにこの舗道１１に街路樹を植栽する場合にも街路樹等の樹木２の育成条件を整え、樹木を育成することができる。
また、地下茎保護ブロック本体１の載置部８の上面に敷設される透水性舗装部材６は、骨材をセメントまたは合成樹脂接着剤等の結合剤により結合することにより厚み方向Ｔに連続した空隙による多数の透水孔を設けた透水舗装ブロック１３が用いられ、雨水を集水するための大きな孔が設けられずに全体的には平坦で滑らかな上面が形成されるので、歩行者は躓く等支障がなく舗道１１の歩行が行え、しかもハイヒールの踵がはまることがない。また、障害者が車椅子により舗道１１を自ら往来する場合にも、障害にならずに安全に走行することができる。
【００２７】
図５は本実施形態の地下茎保護ブロックを舗道１１ではなく、例えば広場３０、または建物のアプローチ等に敷設し、街路樹等の樹木２を植設する場合の他の使用例を示したものである。
この使用例では、地下茎保護ブロック自体の構成は前述の使用例になした説明と略同様であり、使用に際しては、広場３０に植栽される樹木２の地下茎２Ａの周囲上方部に砕石等の基礎部１６を敷設する点は前述の使用例と同様の敷設工程、同様の構成である。
【００２８】
しかしながら、本使用例では、２つの地下茎保護ブロック本体１，１を対向して突き合わせて組み合わせ使用するものである。
すなわち、樹木２を埋込み可能な植栽用開口部４における開放端９，９；９，９が相互に衝合可能に基礎部１６の上面に平面略コ字形の２つの地下茎保護ブロック本体１，１を敷設する工程と、該地下茎保護ブロック本体１，１の植栽用開口部４の外周上面に設けた載置部８に透水シート１４、必要な場合にはメッシュ類、敷砂１５を介して透水舗装部材６を敷設する工程とから成り、そのほかは前記使用例と同様の手順、工程を経て透水性舗装材１６が敷設され、地下茎保護ブロック本体１，１により形成される植栽用開口部４内に街路樹等の樹木２を植栽するようにした。なお、２つの地下茎保護ブロック本体１，１の設置向きは図示するものに限られない。
【００２９】
また、図１２に示すものは本発明の第２実施形態であり、この実施形態でも地下茎保護ブロックは舗道１１ではなく、例えば広場３０、または建物のアプローチ等に敷設する場合に使用され、地下茎保護ブロック本体１は、全体形状が平面ロ字形に形成されている場合が図５に示す前記使用例と異なるのにすぎない。
そして、この地下茎保護ブロック本体１を敷設するには、上記実施形態と同様に植栽される樹木２の地下茎２Ａの上方部周囲に砕石等の基礎部１６を敷設する工程と、樹木２を植栽用開口部４内に埋込み可能に前記基礎部１６の上面に地下茎保護ブロック本体１を敷設する工程と、地下茎保護ブロック本体１の植栽用開口部４の外周上面に設けた載置部８に透水シート１４、必要な場合にはメッシュ類、敷砂１５を介して透水舗装部材６を敷設する工程とを経て透水性舗装部材６を敷設して広場３０を造成し、植栽用開口部４内に街路樹等の樹木２を植栽するようにした。
こうして、図５に示す前記実施形態のほかの使用例とは異なるのは２個の地下茎保護ブロック本体１，１を対向して突き合わせる手間を省いて１個の地下茎保護ブロック本体１を使用して植栽用開口部４を形成するようにした点が異なるほかは、前記実施形態と同様の構成、手順、作用である。
【００３０】
なお、上記実施形態では透水舗装部材６として、透水性舗装ブロック１３を用いて舗道１１または広場３０を造成する場合を代表的に説明したが、透水舗装部材６は図示するものに限ることなく透水性アスファルトを用いたり、図には示さないが、透水孔を有する平板やインターロッキングブロック、さらには排水性舗装アスファルト混合物よりなる表層部および基層部と、該基層部の下部に設けられる不透水性層とから成る排水性平板やレンガ等を用いて目地空間を利用して排水性を確保するようにした目地排水性平板を舗道１１または広場３０を造成する場合も本発明の適用範囲である。また、地下茎保護ブロック本体１に設ける植栽用開口部４の周囲に水溜用縁部５を設ける場合には、地下茎保護ブロック本体１の植栽用開口部４の周囲の載置部８に透水性舗装材６を敷設する時の位置決めを容易かつ確実に行える利点があるが、必ずしも地下茎保護ブロック本体１に設ける植栽用開口部４の周囲に水溜用縁部５を設けなくても本発明の適用範囲である。
【００３１】
本発明の請求項１に記載の発明は以上のように、植栽される樹木の地下茎の周囲上方部に敷設される地下茎保護ブロック本体と、該地下茎保護ブロック本体に設けられ、前記地下茎を覆う覆土が所望面積地表に臨まれる植栽用開口部と、該植栽用開口部の外周に透水舗装部材が上面に載置可能に設けられ、多数の透水孔が厚み方向に設けられた載置部とから形成されることを特徴とし、また、本発明の請求項６に記載の発明は、植栽される樹木の地下茎の周囲上方部に砕石等の基礎部を敷設する工程と、樹木を植栽用開口部内に埋込み可能に前記基礎部の上面に地下茎保護ブロック本体を敷設する工程と、地下茎保護ブロック本体の植栽用開口部の外周上面に設けた載置部に透水シート、またはメッシュ類、敷砂を介して透水舗装部材を敷設する工程とから成り、また、本発明の請求項７に記載の発明は、植栽される樹木の地下茎の周囲上方部に砕石等の基礎部を敷設する工程と、樹木を埋込み可能な植栽用開口部における開放端が舗道と車道とを区画する縁石ブロックの舗道側の内壁部に突き合わせ可能に前記基礎部の上面に平面略コ字形の地下茎保護ブロック本体を敷設する工程と、該地下茎保護ブロック本体の植栽用開口部の外周上面に設けた載置部に透水シート、またはメッシュ類、敷砂を介して透水舗装部材を敷設する工程とから成り、また、本発明の請求項８に記載の発明は、植栽される樹木の地下茎の周囲上方部に砕石等の基礎部を敷設する工程と、樹木を埋込み可能な植栽用開口部における開放端が相互に衝合可能に前記基礎部の上面に平面略コ字形の地下茎保護ブロック本体を敷設する工程と、該地下茎保護ブロック本体の植栽用開口部の外周上面に設けた載置部に透水シート、またはメッシュ類、敷砂を介して透水舗装部材を敷設する工程とから成るので、街路樹を植栽し、地下茎の覆土を収容する空間部を迅速かつ確実に作業効率良く確保し、工事費が低廉になり、しかも舗装ブロックの敷設高さが個々の空間部に対して不揃いになって見苦しい段差を生ずることなく一律で綺麗な仕上がりにて施工が行え、さらには都市部においても幅員が広く余裕がある広さの舗道を造成するのに適する。
【００３２】
また、本発明の請求項２に記載の発明は、請求項１において、地下茎保護ブロック本体は、全体形状が平面略コ字形または平面略半環状に形成され、植栽用開口部を囲む対向する開放端が車道と舗道とを区画する縁石ブロックの舗道側の内壁部に突き合わせ可能に敷設されることを特徴とするという手段を採用したので、舗道に街路樹等の樹木を植栽するための植栽用開口部を能率良く迅速かつ確実に形成でき、しかも舗装ブロックの敷設高さが個々の空間部に対して不揃いになって見苦しい段差を生ずることなく一律で綺麗な仕上がりにて施工が行える。
【００３３】
また、本発明の請求項３に記載の発明は、請求項１において、地下茎保護ブロック本体は、全体形状が平面略コ字形または平面略半環状に形成され、植栽用開口部を囲む対向する開放端が相互に衝合されて全体に平面略ロ字形に組み合わせられて使用されるか、または地下茎保護ブロック本体は全体形状が平面略ロ字形に形成されることを特徴とするという手段を採用したので、例えば広場、建物のアプローチ等に街路樹等の樹木を植栽するための植栽用開口部を能率良く迅速かつ確実に形成でき、しかも舗装ブロックの敷設高さが個々の空間部に対して不揃いになって見苦しい段差を生ずることなく一律で綺麗な仕上がりにて施工が行える。
【００３４】
また、本発明の請求項４に記載の発明は、請求項１、請求項２、または請求項３の何れかにおいて地下茎保護ブロック本体は、繊維強化セメント、繊維強化プラスチック、またはセメントの何れかにより形成されることを特徴とするので、引っ張力または圧縮力等の強度に優れた地下茎保護ブロックを容易かつ確実に製作することができる。
【００３５】
また、本発明の請求項５に記載の発明は、請求項１、請求項２、請求項３、または請求項４の何れかにおいて、透水舗装部材は、透水ブロックであるか、または透水性を有するアスファルト舗装、目地排水性平板の何れかであることを特徴とするので、地下茎保護ブロックに対して段差を使用ずることなく外観的に綺麗な仕上がりに街路樹等の樹木を植栽するための樹木植栽用開口部を備えた舗道や広場を能率良く造成でき、しかも雨水等を樹木の地下茎に充分に供給することができ、樹木の育成に適する環境条件を整えることができる。
【図面の簡単な説明】
【図１】
図１は本発明の街路樹等の地下茎保護ブロックの第１実施形態を示す断面図で
ある。
【図２】
図２は同じく部分切欠平面図である。
【図３】
図３は同じく概略斜視図である。
【図４】
図４は同じく本実施形態の街路樹等の地下茎保護ブロックの横断面図である。
【図５】
図５は本実施形態の街路樹等の地下茎保護ブロックの他に使用例を示す概略平面図である。
【図６】図６は同じく地下茎保護ブロックの第２変形例を示す平面図である。
【図７】図７は同じく地下茎保護ブロックの第３変形例を示す平面図である。
【図８】図８は同じく地下茎保護ブロックの第４変形例を示す平面図である。
【図９】図９は同じく地下茎保護ブロックの第５変形例を示す平面図である。
【図１０】図１０は同じく地下茎保護ブロックの第６変形例を示す平面図である。
【図１１】図１１は同じく地下茎保護ブロックの第７変形例を示す平面図である。
【図１２】図１２は本発明の街路樹等の地下茎保護ブロックの第２実施形態を示す概略平面図である。
【図１３】従来の街路樹等の植栽方法を示す断面図である。
【図１４】同じく平面図である。
【図１５】同じく概略正面図である。
【符号の説明】
１　　地下茎保護ブロック本体
２　　樹木
２Ａ　地下茎
３　　覆土
４　　植栽用開口部
５　　水溜用縁部
６　　透水舗装部材
７　　透水孔
８　　載置部
９　　開放端
１０　車道
１１　舗道
１２　縁石ブロック
１３　透水舗装ブロック
１４　透水シート
【図１】
2004036345.tif 000003
【図２】
2004036345.tif 000004
【図３】
2004036345.tif 000005
【図４】
2004036345.tif 000006
【図５】
2004036345.tif 000007
【図６】
2004036345.tif 000008
【図７】
2004036345.tif 000009
【図８】
2004036345.tif 000010
【図９】
2004036345.tif 000011
【図１０】
2004036345.tif 000012
【図１１】
2004036345.tif 000013
【図１２】
2004036345.tif 000014
【図１３】
2004036345.tif 000015
【図１４】
2004036345.tif 000016
【図１５】
2004036345.tif 000017